(57)【特許請求の範囲】
【請求項１】
冷蔵庫の本体前方に扉を引いたときに野菜室下容器が前方へ引出されると共に前記下容器が引出された状態下で該下容器上又は上方を前後に摺動可能な上容器を備えて成る冷蔵庫において、
前記野菜室下容器の前部に背の高い容器入り食品を横方向に並設する第１の収納空間と、
前記上容器で形成される第２の収納空間と、
前記上容器下面と下容器内側面に囲まれた第３の収納空間と、
前記第１の収納空間の後方位置に背の高い容器入り食品を収納する第４の収納空間と、
前記上容器の前端部の一部を切欠いて前記第４の収納空間内の前記背の高い容器入り食品を避ける切欠部とを形成したことを特徴とする冷蔵庫。
【請求項２】
前記第１の収納空間と前記第３の収納空間又は第４の収納空間とを棒状の仕切具で仕切ったことを特徴とする請求項１に記載の冷蔵庫。
【請求項３】
冷蔵庫の本体前方に扉を引いたときに野菜室下容器が前方へ引出されると共に前記下容器が引出された状態下で該下容器上又は上方を前後に摺動可能な上容器とを備えて成る冷蔵庫において、
前記野菜室下容器の前部に背の高い容器入り食品を収納できるように前収納部を形成し、
該前収納部に連設したその直後方の後収納部にも背の高い容器入り食品を収納できるようにし、
前記前収納部及び/又は前記後収納部にボトルスタンドを設置し、
前記前収納部の後方の位置に左右に延在した仕切具を設け、
前記ボトルスタンド前面上部の一部を下方に折曲して懸吊部を設け、前記前収納部に設置する場合は前記懸吊部が弾性により下容器前面を圧接することにより該ボトルスタンドが前記前収納部に固定され、前記後収納部に設置する場合は前記仕切具に懸吊して固定されるようにしたことを特徴とする冷蔵庫。
【請求項４】
前記後収納部に設置された前記ボトルスタンド前面の高さを前記仕切具の高さと略同じとし、ボトルスタンド後面高さはその前面高さよりも高く前記上容器下面よりも低くしたことを特徴とする請求項３に記載の冷蔵庫。
【発明の詳細な説明】
【０００１】
【発明の属する技術分野】
本発明は、冷蔵庫の本体前方に扉を引いたときに野菜室下容器が前方へ引出されると共に前記下容器が引出された状態下で該下容器上又は上方を前後に摺動可能な上容器とを備えて成る冷蔵庫に関するものである。
【０００２】
【従来の技術】
この種の冷蔵庫は、特開平９−１１３１２５号公報や特開平９−１３３４５８号公報などに開示されている。即ち、特開平９−１１３１２５号公報には、前記下容器が引出された状態下で該下容器の上方を該下容器と独立して前後に摺動可能な上容器とを備えて成る冷蔵庫が開示されており、特開平９−１３３４５８号公報には前記下容器が引出された状態下で該下容器上を前後に摺動可能な上容器とを備えて成る冷蔵庫が開示されている。
【０００３】
【発明が解決しようとする課題】
しかし、近年特に背の高いペットボトル商品やボトル商品の利用が著しく増加してきており、また買い置きすることもあるので、冷蔵室の前面扉裏面のドアポケットに収納するだけでは足りなくなって来ているのが現状である。
【０００４】
そこで本発明は、冷蔵庫の本体前方に扉を引いたときに野菜室下容器が前方へ引出されると共に前記下容器が引出された状態下で該下容器上又は上方を前後に摺動可能な上容器とを備えて成る冷蔵庫において、野菜室に背の高い容器入り食品をより多く、しかも安定した状態で収納できる冷蔵庫を提供することを目的とする。
【０００５】
【課題を解決するための手段】
このため本発明は、冷蔵庫の本体前方に扉を引いたときに野菜室下容器が前方へ引出されると共に前記下容器が引出された状態下で該下容器上又は上方を前後に摺動可能な上容器を備えて成る冷蔵庫において、前記野菜室下容器の前部に背の高い容器入り食品を横方向に並設する第１の収納空間と、前記上容器で形成される第２の収納空間と、前記上容器下面と下容器内側面に囲まれた第３の収納空間と、前記第１の収納空間の後方位置に背の高い容器入り食品を収納する第４の収納空間と、前記上容器の前端部の一部を切欠いて前記第４の収納空間内の前記背の高い容器入り食品を避ける切欠部とを形成したことを特徴とする。
【０００６】
また本発明は、前記第１の収納空間と前記第３の収納空間又は第４の収納空間とを棒状の仕切具で仕切ったことを特徴とする。
【０００７】
また本発明は、冷蔵庫の本体前方に扉を引いたときに野菜室下容器が前方へ引出されると共に前記下容器が引出された状態下で該下容器上又は上方を前後に摺動可能な上容器とを備えて成る冷蔵庫において、前記野菜室下容器の前部に背の高い容器入り食品を収納できるように前収納部を形成し、該前収納部に連設したその直後方の後収納部にも背の高い容器入り食品を収納できるようにし、前記前収納部及び/又は前記後収納部にボトルスタンドを設置し、前記前収納部の後方の位置に左右に延在した仕切具を設け、前記ボトルスタンド前面上部の一部を下方に折曲して懸吊部を設け、前記前収納部に設置する場合は前記懸吊部が弾性により下容器前面を圧接することにより該ボトルスタンドが前記前収納部に固定され、前記後収納部に設置する場合は前記仕切具に懸吊して固定されるようにしたことを特徴とする。
【０００８】
また本発明は、前記後収納部に設置された前記ボトルスタンド前面の高さを前記仕切具の高さと略同じとし、ボトルスタンド後面高さはその前面高さよりも高く前記上容器下面よりも低くしたことを特徴とする。
【０００９】
【００１０】
【００１１】
【発明の実施の形態】
以下本発明の実施の形態を図面に基づき説明する。図１において、冷蔵庫１は前面を除く両側面、背面、天井面及び底面を断熱壁として構成される箱状の本体２を有する。該本体２は鋼板から成る外箱３と硬質樹脂材料から成る内箱４との間に発泡ウレタン等の断熱材５を充填して構成される。
【００１２】
前記本体２の内部は夫々後述の仕切壁２１により冷蔵室６、野菜室７、２つの冷凍室８、９に区画されている。そして、最上部の冷蔵室６の前面開口は開閉可能な回動式の断熱扉１０により閉塞可能であり、冷蔵室６の下側の野菜室７、冷凍室８、９は引出し式の断熱扉１１、１２及び１３により夫々閉塞されている。
【００１３】
前記断熱扉１０、１１、１２及び１３は、夫々鋼板から成る扉外箱と硬質樹脂材料から成る扉内箱との間に発泡ウレタン等の断熱材を充填して構成される。
【００１４】
そして、当該冷蔵庫１には公知の冷凍サイクルユニットが設けられる。即ち、本体２の底部に設けられた圧縮機が冷媒を吸入圧縮して高温高圧にし、該圧縮機からの高温高圧のガス状冷媒を凝縮器が凝縮し、キャピラリーチューブにより低温低圧となった冷媒を冷蔵用蒸発器と冷凍用蒸発器が気化させる。冷気供給ダクト１４内に設けられた冷蔵用蒸発器で冷却された冷気は同じく冷気供給ダクト１４内の冷気循環用送風ファンにより冷気吹出し口を介して冷蔵室６、野菜室７に導入される。
【００１５】
そして、前記冷蔵室６には所定間隔を存して食品を載置可能な棚板２０が３枚設けられ、最下の棚板２０の下方には仕切壁２１上に食品を０度Ｃ近くで保存する氷温室２２が形成されている。該氷温室２２は、底壁が前記仕切壁２１、両側壁が本体２の内箱４の両側壁、上壁が本体２の内箱４の両側壁に沿って出し入れ可能な上蓋２３で構成され、該氷温室２２の前面には開閉可能な扉が設けられ、該氷温室２２には公知のスライド式保存容器２４（例えば、特開平１０−１０３８５４号公報などに開示）が備えられる。
【００１６】
次に、図２、図３及び図４に基づき、前記野菜室７について説明する。前記野菜室７は、前記断熱扉１１寄りの該下容器３０前端部に背の高い容器入りの飲料、例えば１．５リットルのペットボトル３１等を左右横一列に立てて収納できるようにした前収納部である第１の収納空間３３と、前記下容器３０上または上方を摺動する上容器３４で形成される第２の収納空間２５（野菜などを収納する）と、上容器３４の下面３５と下容器３０内側面に囲まれた第３の収納空間３６（野菜などを収納する）及び区画壁３２を介してその後方位置に前記第１の収納空間３３に隣設して配置される後述のボトルスタンド３９により形成され、背に高い容器入り食品であるボトル３８（例えば、容器入りドレッシングなど）を立てて収納できる後収納部である第４の収納空間３７との４つの空間より形成される。
【００１７】
４５は前記区画壁３２の上方にて前記第１の収納空間３３と第３の収納空間３６及び第４の収納空間３７とを区画するため前記下容器３０の左右の側壁間に設けられる支持棒（仕切具）で、該支持棒４５には少なくとも１以上の仕切具４６（ボトルストッパー）が着脱可能に且つ回動可能に取付けられる。
【００１８】
該仕切具４６は、図５及び図６に示すように、前記支持棒４５に嵌合する嵌合部４７と、前記第１の収納空間３３内のペットボトル３１や前記第４の収納空間３７内のボトル３８を前後左右に倒れないように前記下容器３０の一方の側壁や第４の収納空間３７を形成する後述のボトルスタンド３９の一方の側壁に押し付けて保持する保持部４８と、該保持部４８の前記嵌合部４７とは反対側の端部に設けられ前記下容器３０の前壁に当接して左右方向への移動をしにくくする摩擦係数の高い材質で形成される球状の当接部４９とから構成される。
【００１９】
前記仕切具４６を前記支持棒４５に少なくとも２本取付け、前記第１の収納空間３３や第４の収納空間３７に収納される容器入り食品の数に合わせて、前記支持棒４５に沿って左右方向へ移動させ、一方の仕切具４６を前方に他方の仕切具４６を後方に倒して、その保持部４８により前記下容器３０の一方の側壁や前記第４の収納空間３７を形成する前記ボトルスタンド３９の一方の側壁に前記容器入り食品を押し付けて保持できる。
【００２０】
尚、前記第１の収納空間３３と第４の収納空間３７のいずれにも置くことの出来る合成樹脂材料から成るボトルスタンド３９を設けることにより、更にボトルの安定を図ることが可能となる。該ボトルスタンド３９は上面を開口し、該ボトルスタンド３９の前面４０の高さと前記支持棒４５の高さをおおよそ同じとし、前面４０よりも後面４１を高く、概ね前記第４の収納空間３７の半分の深さ位置まで立設させ、側壁の上端は後ろに行くに従って高くなるように前記前面４０と後面４１を連結し、第４の収納空間３７に設置した場合に、その前面４０の上端部の一部を下方に折り返して懸吊部４２が形成され前記下容器３０の底面に載置した状態で前記支持棒４５に該懸吊部４２が懸吊することにより該ボトルスタンド３９は保持される。
【００２１】
また、図７に示すように、第１の収納空間３３に前記ボトルスタンド３９を設置した場合（下容器３０上に載置した状態）、前記懸吊部４２が下容器３０の前壁に圧接することによりその弾性を利用して前記区画壁３２との間に固定される。該ボトルスタンド３９は、前収納部及び後収納部に、またはいずれかに収納しても良い。
【００２２】
図２、図７及び図８において、冷蔵庫１の本体２前方に前記断熱扉１１を引いたときに下容器３０が図示しないガイドに沿って前方へ引出されるが、上容器３４は前記下容器３０が引出された状態下で該下容器３０上を前後に摺動できる。即ち、該上容器３４の両側壁５０には前記下容器３０の第１のレール５１上を摺動する第１の係止部材５２と、前記内箱４に突設した第２のレール（図示せず）上を摺動する第２の係止部材５３とが形成される。
【００２３】
即ち、前記断熱扉１１を引くと下容器３０が前記ガイドに沿って前方へ引出されるが、前記下容器３０の第１のレール５１上に第１の係止部材５２を介して上容器３４が載置している状態であるから、該下容器３０と共に上容器３４も前方へ引出されることとなる。また、この引出した状態下で、上容器３４を後方へ押すと、前記内箱４に突設した第２のレール（図示せず）上に一方の第２の係止部材５３が完全に乗ることとなる。
【００２４】
そして、前記上容器３４は最前位置にあるときには、前記下容器３０の第１のレール５１の前端位置の凹部５４に第１の係止部材５２の前端の凸部５５が嵌合して上容器３４は安定した状態となる。この上容器３４が最前位置にあるときには、この上容器３４の前端の面位置はその左半分が前記区画壁３２のほぼ上方に位置し、右半分は前記第４の収納空間３７内のボトル３８を避けるように形成される。
【００２５】
即ち、前記上容器３４の右方の前隅部を含む前端部の一部を切欠いて切欠部５６を形成すると共に該切欠部５６の前端部は平面視で前記前隅部が前方に突出するように丸みを帯びた形状に突部５７を形成する。これにより、前記第４の収納空間３７内の前記ボトル３８を避けるように上容器３４を形成しても、上容器３４の右側面の前記第２の係止部材５３を可能な限り前方位置に形成できることとなり、後方に移動した際に該上容器３４は安定した状態で前記内箱４に突設した第２のレール（図示せず）上に乗ることとなる。
【００２６】
また、図７及び図８において、前面扉１１を本体２の前方に引き出した状態で、上容器３４を本体２内に摺動させた場合に（奥方に移動）、下容器３０の後面５９より後方位置にストッパー６０を設けることにより、上容器３４のスライド範囲を広げることができるので、下容器３０の開口面が広がり、該下容器３０内、即ち、第３の収納空間３６内の収納物（野菜など）の取り出しを容易にすることができると共に、上容器下面３５に係止部材である突起５８を設けることにより、上容器３４が本体２内に深く入り込み過ぎて引き出しにくくなるのを防ぐことができる。
【００２７】
尚、前記下容器３０が引出された状態下で、該下容器３０の上方を該下容器３０とは独立して前後に上容器３４を前記内箱４に突設した第２のレール上を摺動可能な構成にしても良い。この場合、前記断熱扉１１を引いたときには、下容器３０は引出されるが上容器３４は引出されないこととなる。
【００２８】
【発明の効果】
以上のように、本発明によれば、野菜室に野菜の他、背の高い容器入り食品をより多く、しかも安定した状態で収納することができる。
【図面の簡単な説明】
【図１】  図１は冷蔵庫の縦断側面図である。
【図２】  図２は野菜室の平面図である。
【図３】  図３は野菜室の縦断右側面図である。
【図４】  図４は野菜室の縦断右側面図である。
【図５】  図５は仕切具４６（ボトルストッパー）の斜視図である。
【図６】  図６は仕切具４６（ボトルストッパー）が支持棒に取付けられた状態の斜視図である。
【図７】  図７は前収納部にボトルスタンドを設置した状態の野菜室の縦断右側面図である。
【図８】  図８は上容器が奥方に移動した状態の野菜室の縦断右側面図である。
【符号の説明】
１１          断熱扉
２５          第２の収納空間
３０          下容器
３２          区画壁
３３          第１の収納空間（前収納部）
３４          上容器
３６          第３の収納空間
３７          第４の収納空間（後収納部）
３９          ボトルスタンド
４２          懸吊部
４５          支持棒
５８          突起
６０          ストッパー
【図１】
0003668114.tif 000002
【図２】
0003668114.tif 000003
【図３】
0003668114.tif 000004
【図４】
0003668114.tif 000005
【図５】
0003668114.tif 000006
【図６】
0003668114.tif 000007
【図７】
0003668114.tif 000008
【図８】
0003668114.tif 000009